(57)【要約】【課題】両面粘着テープにより接着された被着体が外れにくいゴルフクラブヘッドの提供。【解決手段】ヘッドは、ヘッド本体ｈ１と、両面粘着テープｔ１と、この両面粘着テープｔ１によってヘッド本体ｈ１に接着されている被着体ｓ１とを備えている。両面粘着テープｔ１は、最内層に設けられた第一粘着層３０と、最外層に設けられた第二粘着層３６と、上記第一粘着層３０と上記第二粘着層３６との間に設けられた中間層３２、３４とを有する。上記中間層は、不織布層３４及び／又は樹脂層３２を含む。上記樹脂層３２は、気泡を有していない。好ましくは、上記両面粘着テープが、上記第一粘着層、上記気泡を有さない樹脂層、上記不織布層、上記気泡を有さない樹脂層及び上記第二粘着層の順で積層された５層構造である。【選択図】図３
2010035734.tif 000002
【特許請求の範囲】
【請求項１】
ヘッド本体と、両面粘着テープと、この両面粘着テープによって上記ヘッド本体に接着されている被着体とを備え、
上記両面粘着テープが、最内層に設けられた第一粘着層と、最外層に設けられた第二粘着層と、上記第一粘着層と上記第二粘着層との間に設けられた中間層とを有し、
上記中間層が、不織布層及び／又は樹脂層を含み、
上記樹脂層が気泡を有さないゴルフクラブヘッド。
【請求項２】
上記中間層が、不織布層及び気泡を有さない樹脂層のみからなる請求項１に記載のゴルフクラブヘッド。
【請求項３】
上記両面粘着テープが、上記第一粘着層、上記気泡を有さない樹脂層、上記不織布層、上記気泡を有さない樹脂層及び上記第二粘着層の順で積層された５層構造である請求項１又は２に記載のゴルフクラブヘッド。
【請求項４】
上記中間層が、不織布層のみからなる請求項１に記載のゴルフクラブヘッド。
【請求項５】
上記中間層が、気泡を有さない樹脂層のみからなる請求項１に記載のゴルフクラブヘッド。
【請求項６】
上記両面粘着テープの厚みが、０．５ｍｍ以下である請求項１から５のいずれかに記載のゴルフクラブヘッド。
【発明の詳細な説明】
【技術分野】
【０００１】
本発明は、ゴルフクラブヘッドに関する。
【背景技術】
【０００２】
ゴルフクラブヘッドに、ウェイト部材、振動吸収部材、バッチ等が装着されることがある。この装着に、両面粘着テープが使用されている。両面粘着テープは、おもて側の面と裏側の面とがいずれも接着性を有している。両面粘着テープは、日本では、一般に両面テープと称されている。
【０００３】
特許公報第２７９２６４２号には、フェイスの背面に薄板が両面粘着テープによって貼り付けられたゴルフクラブヘッドが開示されている。この両面粘着テープは、テープ基材と、その両面に設けられた粘着層とを有する。特許公報第２７９２６４２号には、このテープ基材が紙製とされうるという記載がある。
【特許文献１】特許第２７９２６４２号公報
【発明の開示】
【発明が解決しようとする課題】
【０００４】
ゴルフクラブヘッドにおいて、打撃による衝撃力は、大きい。従来のゴルフクラブヘッドでは、打撃による振動によって、両面粘着テープ自体の破壊や、接着面の剥離が起こりうる。
【０００５】
樹脂フォーム層を有する両面粘着テープが市販されている。樹脂フォーム層は、気泡を有する樹脂層である。この樹脂フォーム層を有する両面粘着テープを、ゴルフクラブヘッドに応用することが考えられる。樹脂フォーム層は、容易に変形しうる。樹脂フォーム層により、被着体の表面に凹凸がある場合や、被着体の表面が曲面である場合であっても、良好な接着が得られうる。
【０００６】
しかし、樹脂フォーム層を有する両面粘着テープがゴルフクラブヘッドに応用された場合、問題が生じうることが判明した。ゴルフクラブヘッドでは、繰り返しの打撃が行われる。この打撃の衝撃による振動は大きい。繰り返しの打撃により、樹脂フォーム層は必ずしも適しないことが判明した。また、樹脂フォーム層を有する両面粘着テープでは、繰り返しの打撃が、接着面の剥離を生じさせうることが判明した。
【０００７】
一方、樹脂フォーム層を有さない両面粘着テープの場合として、例えば、紙の両面に粘着層が設けられた両面粘着テープがある。この場合、両面粘着テープを被着体の外面に貼り付ける際に、皺が発生しやすい。この両面粘着テープでは、接着不良が生じやすい。
【０００８】
打撃時の衝撃力は、いろいろな方向に作用しうる。本発明者は、打撃時において、両面粘着テープに作用しうる剪断力に着目した。この剪断力は、被着体が横ズレしようとする場合に両面粘着テープに作用する。例えば、両面粘着テープがヘッド本体の平面と、被着体の平面とを接着している場合を考える。以下、ヘッド本体の平面及び被着体着帯の平面と平行な方向が、面内方向と称される。この場合において、ヘッド本体が面内方向一方側に移動しようとし、且つ被着体が面内方向他方側に移動しようとする状況が起こりうる。このような場合、両面粘着テープに上記剪断力が作用しうる。この剪断力により、両面粘着テープには剪断応力が生じる。この剪断力は、両面粘着テープに、剪断変形を生じさせうる。樹脂フォーム層は、この剪断力により大きく変形しうる。樹脂フォーム層が用いられている場合、この剪断変形が大きい。この剪断変形は、剥離を生じさせうる。この剪断変形を抑制することにより、ヘッド本体と被着体との接着性が向上しうることが判明した。
【０００９】
本発明の目的は、両面粘着テープにより接着された被着体が外れにくいゴルフクラブヘッドの提供にある。
【課題を解決するための手段】
【００１０】
本発明に係るゴルフクラブヘッドは、ヘッド本体と、両面粘着テープと、この両面粘着テープによって上記ヘッド本体に接着されている被着体とを備えている。上記両面粘着テープは、最内層に設けられた第一粘着層と、最外層に設けられた第二粘着層と、上記第一粘着層と上記第二粘着層との間に設けられた中間層とを有している。上記中間層は、不織布層及び／又は樹脂層を含んでいる。上記樹脂層は、気泡を有さない。
【００１１】
好ましくは、上記中間層は、不織布層及び気泡を有さない樹脂層のみからなる。好ましくは、上記両面粘着テープは、上記第一粘着層、上記気泡を有さない樹脂層、上記不織布層、上記気泡を有さない樹脂層及び上記第二粘着層の順で積層された５層構造とされる。
【００１２】
好ましくは、上記中間層は、不織布層のみからなる。
【００１３】
好ましくは、上記中間層は、気泡を有さない樹脂層のみからなる。
【００１４】
好ましくは、上記両面粘着テープの厚みは、０．５ｍｍ以下である。
【発明の効果】
【００１５】
不織布層及び／又は気泡を有さない樹脂層を設けた両面粘着テープは、上記剪断力に対する耐久性が高い。この両面粘着テープにより、繰り返しの打撃による被着体の外れが生じにくい。
【発明を実施するための最良の形態】
【００１６】
以下、適宜図面が参照されつつ、好ましい実施形態に基づいて本発明が詳細に説明される。
【００１７】
図１は、本発明の第一実施形態に係るゴルフクラブヘッド２を背面側から見た図である。図２は、図１のII−II線に沿った断面図である。ヘッド２は、アイアン型のゴルフクラブヘッドである。ヘッド２は、ヘッド本体ｈ１と、被着体ｓ１と、両面粘着テープｔ１とを有する。被着体ｓ１は、薄板状の部材である。典型的な被着体ｓ１は、バッジである。被着体ｓ１は、金属、樹脂等よりなる。典型的には、被着体ｓ１には、製品名等を示すロゴマークや文字が表示される。図１には、被着体ｓ１の輪郭線ｓ１１が示されている。
【００１８】
両面粘着テープｔ１は、被着体ｓ１とヘッド本体ｈ１との間に介在する。両面粘着テープｔ１により、被着体ｓ１が、ヘッド本体ｈ１に接着されている。両面粘着テープｔ１の輪郭形状と被着体ｓ１の輪郭形状とは、実質的に等しい。
【００１９】
両面粘着テープｔ１の形状は限定されない。両面粘着テープｔ１の幅及び長さは限定されない。両面粘着テープｔ１は、その両面が粘着性を有するシートである。
【００２０】
なお、図２では、両面粘着テープｔ１が単一の層として示されている。しかし、実際には、後述されるように、両面粘着テープｔ１は複数の層からなる。
【００２１】
ヘッド本体ｈ１は、フェース面４を備えたフェース部１３と、トップ面６と、ソール面８と、バック面１０と、ホーゼル部１２と、フェース部１３とを有する。フェース部１３は、フェース面４を外面とする部分である。フェース部１３は、中実である。バック面１０には、凹部１４が設けられている。凹部１４は、フェース面４の裏側に設けられている。凹部１４を有するヘッド２は、一般に、キャビティバックアイアンと称される。凹部１４は、いわゆるキャビティバックを形成している。凹部１４により、フェース部が薄くされている。凹部１４により、薄肉部（第一薄肉部）１８が形成されている。薄肉部１８は、フェース部１３の一部である。薄肉部１８は、中実である。被着体ｓ１は、薄肉部１８の背面に貼られている。薄肉部１８の前面は、フェース面４である。薄肉部１８の背面は、凹部１４の底面２０である。ヘッド２のスイートスポットは、薄肉部１８に位置している。このスイートスポットは、ヘッド２の重心を通りフェース面４に対して垂直な線と、フェース面４との交点である。
【００２２】
耐久性の観点から、薄肉部の厚みは、１．５ｍｍ以上が好ましく、１．８ｍｍ以上がより好ましく、２．０ｍｍ以上がより好ましい。薄肉部が薄い場合、打球時におけるフェース部の振動が大きい。薄肉部が薄い場合、両面粘着テープが貼り付けられた部分に大きな衝撃力が作用する。よってこの場合、本発明の効果が顕在化しうる。この観点から、薄肉部の厚みは、３．０ｍｍ以下が好ましく、２．７ｍｍ以下がより好ましく、２．４ｍｍ以下がより好ましい。
【００２３】
なお、図示は省略されているが、フェース面４には、インパクトエリアマーキングが設けられる。典型的なインパクトエリアマーキングは、フェースライン（フェース溝）である。
【００２４】
凹部１４の内部に、更に、凹部１６が設けられている。凹部（第二凹部）１６は、凹部（第一凹部）１４の底面２０に設けられている。凹部１６は、凹部１４と比較して、浅い。凹部１６の深さは、両面粘着テープｔ１の厚みよりも大きい。凹部１６は、両面粘着テープｔ１の全部を収容している。凹部１６の輪郭形状と被着体ｓ１の輪郭形状とは、実質的に等しい。
【００２５】
凹部１６により、フェース部が更に薄くされている。凹部１６により、第二薄肉部２２が形成されている。第二薄肉部２２は、第一薄肉部１８の一部である。第二薄肉部２２は、中実である。被着体ｓ１は、第二薄肉部２２の背面に貼られている。ヘッド２のスイートスポットは、第二薄肉部２２に位置している。第二薄肉部２２の前面は、フェース面４である。第二薄肉部２２の背面は、凹部１６の底面２４である。底面２４は、底面２０の一部である。
【００２６】
図３は、両面粘着テープｔ１近傍の拡大断面図である。両面粘着テープｔ１は、４層構造の両面粘着テープｔ１０である。この４層は、ヘッド本体ｈ１側から順に、第一層３０、第二層３２、第三層３４及び第四層３６である。第一層３０は、両面粘着テープｔ１０の最内層である。第一層３０は、粘着層である。第一層３０は、第一粘着層である。第二層３２及び第三層３４は、中間層である。第四層３６は、粘着層である。第四層３６は、両面粘着テープｔ１０の最外層である。第四層３６は、第二粘着層である。なお図３では、各層の境界は平面状に示されているが、この境界には、凹凸が存在していてもよい。特に、後述される不織布層と他の層との境界は、通常、凹凸状である。また、各層の境界は、曲面であってもよい。
【００２７】
第一粘着層３０は、ヘッド本体ｈ１に接着している。第二粘着層３６は、被着体ｓ１に接着している。両面粘着テープｔ１０により、被着体ｓ１がヘッド本体ｈ１に接着されている。
【００２８】
第一層３０及び第四層３６は、粘着剤の層である。この粘着剤は限定されない。粘着剤として、アクリル系粘着剤、エポキシ系粘着剤、ウレタン系粘着剤等が例示される。
【００２９】
第二層３２は、気泡を有さない樹脂層である。第二層３２は、未発砲の樹脂フィルムである。第二層３２は、樹脂フォーム層ではない。第二層３２を形成する樹脂の種類は限定されない。この樹脂層の基材樹脂として、アクリル系樹脂及びポリエステル系樹脂が例示される。
【００３０】
気泡の存在により、樹脂層は、変形しやすくなる。気泡を有さない樹脂層３２（樹脂フィルム層３２）は、気泡を有する樹脂層と比較して、上記剪断力による変形が大きい。両面粘着テープｔ１に作用する上記剪断力は、例えば、被着体ｓ１に矢印ｙ１方向の力が作用し、且つ、ヘッド本体ｈ１に矢印ｙ２方向の力が作用したときに生じる（図３参照）。気泡を有さない樹脂層は、この剪断力に起因する両面粘着テープｔ１０の変形を小さくしうる。また、気泡を有さない樹脂層は、気泡を有する樹脂層と比較して、強度が高い。気泡を有さない樹脂層により、両面粘着テープｔ１０の強度が向上しうる。
【００３１】
第三層３４は、不織布層である。図示されないが、不織布には、隙間が存在する。この隙間には、隣接する粘着層３６の一部が入り込んでいる。この入り込みにより、上記剪断力に起因する両面粘着テープｔ１０の変形が抑制されている。
【００３２】
不織布層３４には、隙間が存在する。この隙間には、隣接する樹脂層３２の一部が入り込んでいる。この入り込みにより、上記剪断力に起因する両面粘着テープｔ１０の変形が抑制されている。
【００３３】
不織布層３４の隙間には、隣接する粘着層３６の一部が入り込んでいる。この入り込みにより、上記剪断力に対する両面粘着テープｔ１０の強度が向上している。
【００３４】
なお、上記実施形態とは異なり、第二層３２が不織布層とされ且つ第三層３４が気泡を有さない樹脂層とされてもよい。
【００３５】
不織布層３４は、強度に優れる。不織布層３４は、上記剪断力による変形が少ない。不織布層３４により、上記剪断力による両面粘着テープｔ１０の変形が抑制されうる。
【００３６】
不織布層３４は、両面粘着テープｔ１０の支持体として機能する。不織布層３４により、両面粘着テープｔ１０を貼り付ける際に、皺が発生しにくい。不織布層３４は、両面粘着テープｔ１の貼り付け作業を容易としうる。
【００３７】
不織布層３４は、剪断応力を吸収しうる。不織布層３４は、剪断応力に起因する振動を抑制しうる。不織布層３４は、剪断応力に起因する振動を短時間で終了させうる。この剪断応力を吸収する効果は、振動吸収効果を発現させうる。この振動吸収効果により、被着体ｓ１に伝達される振動が抑制されうる。この結果、被着体ｓ１の剥離が抑制されうる。
【００３８】
不織布層３４と気泡を有さない樹脂層３２とが併用されることにより、不織布層に起因する上記効果と、気泡を有さない樹脂層に起因する上記効果とが同時に得られうる。
【００３９】
図４は、第二実施形態のゴルフクラブヘッドにおける両面粘着テープｔ１の拡大断面図である。図示しないが、ヘッド本体ｈ１及び被着体ｓ１に関して、第二実施形態のヘッドは、上記ヘッド２と同じである。この第二実施形態において、両面粘着テープｔ１は、５層構造の両面粘着テープｔ１１である。
【００４０】
この５層は、ヘッド本体ｈ１側から順に、第一層５０、第二層５２、第三層５４、第四層５６及び第五層５８である。第一層５０は、両面粘着テープｔ１１の最内層である。第一層５０は、粘着層である。第一層５０は、第一粘着層である。第二層５２、第三層５４及び第四層５６は、中間層である。第五層５８は、粘着層である。第五層５８は、両面粘着テープｔ１１の最外層である。第五層５８は、第二粘着層である。なお図４では、各層の境界は平面状に示されているが、この境界には、凹凸が存在していてもよい。特に、不織布層と他の層との境界は、通常、凹凸状である。
【００４１】
第一粘着層５０は、ヘッド本体ｈ１に接着している。第二粘着層５８は、被着体ｓ１に接着している。両面粘着テープｔ１１により、被着体ｓ１がヘッド本体ｈ１に接着されている。
【００４２】
第一層５０及び第五層５８は、粘着剤の層である。この粘着剤は限定されない。粘着剤として、アクリル系粘着剤、エポキシ系粘着剤、ウレタン系粘着剤等が例示される。
【００４３】
第二層５２及び第四層５６は、気泡を有さない樹脂層である。第二層５２及び第四層５６は、未発砲の樹脂フィルムである。第二層５２及び第四層５６は、樹脂フォーム層ではない。気泡を有さない樹脂層を形成する樹脂の種類は限定されない。この樹脂層の基材樹脂として、アクリル系樹脂及びポリエステル系樹脂が例示される。
【００４４】
第三層５４は、不織布層である。不織布には、隙間が存在する。この隙間には、隣接する樹脂層５２の一部が入り込んでいる。この隙間には、隣接する樹脂層５６の一部が入り込んでいる。この入り込みにより、上記剪断力に対する両面粘着テープｔ１１の強度が向上している。
【００４５】
不織布層５４は、強度に優れる。不織布層５４は、上記剪断力による変形が少ない。不織布層５４により、上記剪断力による両面粘着テープｔ１１の変形が抑制されうる。
【００４６】
不織布層５４は、両面粘着テープｔ１１の支持体として機能する。不織布層５４により、両面粘着テープｔ１１を貼り付ける際に、皺が発生しにくい。不織布層５４は、両面粘着テープｔ１１の貼り付け作業を容易としうる。
【００４７】
不織布層５４は、剪断応力を吸収しうる。不織布層５４は、剪断応力に起因する振動を抑制しうる。不織布層５４は、剪断応力に起因する振動を短時間で終了させうる。この剪断応力を吸収する効果は、振動吸収効果を発現させうる。
【００４８】
気泡を有さない樹脂層は、上記剪断力に起因する両面粘着テープｔ１１の変形を抑制しうる。また、気泡を有さない樹脂層は、気泡を有する樹脂層と比較して、強度が高い。気泡を有さない樹脂層により、両面粘着テープｔ１１の強度が向上しうる。
【００４９】
不織布層と気泡を有さない樹脂層とが併用されることにより、不織布層に起因する上記効果と、気泡を有さない樹脂層に起因する上記効果とが同時に得られうる。
【００５０】
不織布層と粘着層との間に樹脂層が介在することにより、不織布層の界面における剥離が効果的に抑制されうる。両面粘着テープｔ１１では、不織布層５４の一方の面に樹脂層５２が配置され、不織布層５４の他方の面に樹脂層５６が配置されている。不織布層５４の両面に樹脂層が配置されているため、不織布層５４の界面における剥離が効果的に抑制されうる。
【００５１】
図５は、第三実施形態のゴルフクラブヘッドにおける両面粘着テープｔ１の拡大断面図である。図示しないが、ヘッド本体ｈ１及び被着体ｓ１に関しては、上記ヘッド２と同じである。この第三実施形態において、両面粘着テープｔ１は、３層構造の両面粘着テープｔ１２である。
【００５２】
この３層は、ヘッド本体ｈ１側から順に、第一層７０、第二層７２及び第三層７４である。第一層７０は、両面粘着テープｔ１２の最内層である。第一層７０は、粘着層である。第一層７０は、第一粘着層である。第二層７２は、中間層である。第三層７４は、粘着層である。第三層７４は、両面粘着テープｔ１２の最外層である。第三層７４は、第二粘着層である。なお図５では、各層の境界は平面状に示されているが、この境界には、凹凸が存在していてもよい。
【００５３】
第一粘着層７０は、ヘッド本体ｈ１に接着している。第二粘着層７４は、被着体ｓ１に接着している。両面粘着テープｔ１２により、被着体ｓ１がヘッド本体ｈ１に接着されている。
【００５４】
第一層７０及び第三層７４は、粘着剤の層である。この粘着剤は限定されない。粘着剤として、アクリル系粘着剤、エポキシ系粘着剤、ウレタン系粘着剤等が例示される。
【００５５】
第二層７２は、気泡を有さない樹脂層である。第二層７２は、未発砲の樹脂フィルムである。第二層７２は、樹脂フォーム層ではない。第二層７２を形成する樹脂の種類は限定されない。この樹脂層の基材樹脂として、アクリル系樹脂及びポリエステル系樹脂が例示される。
【００５６】
気泡を有さない樹脂層は、上記剪断力に起因する両面粘着テープｔ１２の変形を抑制しうる。また、気泡を有さない樹脂層は、気泡を有する樹脂層と比較して、強度が高い。気泡を有さない樹脂層により、両面粘着テープｔ１２の強度が向上しうる。
【００５７】
図６は、第四実施形態のゴルフクラブヘッドにおける両面粘着テープｔ１の拡大断面図である。図示しないが、ヘッド本体ｈ１及び被着体ｓ１に関しては、上記ヘッド２と同じである。この第四実施形態において、両面粘着テープｔ１は、３層構造の両面粘着テープｔ１３である。
【００５８】
この３層は、ヘッド本体ｈ１側から順に、第一層９０、第二層９２及び第三層９４である。第一層９０は、両面粘着テープｔ１３の最内層である。第一層９０は、粘着層である。第一層９０は、第一粘着層である。第二層９２は、中間層である。第三層９４は、粘着層である。第三層９４は、両面粘着テープｔ１３の最外層である。第三層９４は、第二粘着層である。なお図６では、各層の境界は平面状に示されているが、この境界には、凹凸が存在していてもよい。不織布層と他の層との境界は、通常、凹凸状である。
【００５９】
第一粘着層９０は、ヘッド本体ｈ１に接着している。第二粘着層９４は、被着体ｓ１に接着している。両面粘着テープｔ１１により、被着体ｓ１がヘッド本体ｈ１に接着されている。
【００６０】
第一層９０及び第三層９４は、粘着剤の層である。この粘着剤は限定されない。粘着剤として、アクリル系粘着剤、エポキシ系粘着剤、ウレタン系粘着剤等が例示される。
【００６１】
第二層９２は、不織布層である。不織布には、隙間が存在する。この隙間には、隣接する粘着層９０の一部が入り込んでいる。この隙間には、隣接する粘着層９４の一部が入り込んでいる。これらの入り込みにより、上記剪断力に対する両面粘着テープｔ１３の強度が向上している。
【００６２】
不織布層９２は、強度に優れる。不織布層９２は、上記剪断力による変形が少ない。不織布層９２により、上記剪断力による両面粘着テープｔ１３の変形が抑制されうる。
【００６３】
不織布層９２は、両面粘着テープｔ１３の支持体として機能する。不織布層９２により、両面粘着テープｔ１３を貼り付ける際に、皺が発生しにくい。不織布層９２は、両面粘着テープｔ１３の貼り付け作業を容易としうる。
【００６４】
不織布層９２は、剪断応力を吸収しうる。不織布層９２は、剪断応力に起因する振動を抑制しうる。不織布層９２は、剪断応力に起因する振動を短時間で終了させうる。この剪断応力を吸収する効果は、振動吸収効果を発現させうる。不織布層９２を有する両面粘着テープｔ１３は、繰り返しの打撃によっても剥がれにくい。
【００６５】
図３等において両矢印Ａ１で示されるのは、両面粘着テープｔ１の厚みである。上記剪断変形を抑制する観点から、厚みＡ１は、薄いのが好ましい。この観点から、厚みＡ１は、０．５ｍｍ以下が好ましく、０．３ｍｍ以下がより好ましく、０．２５ｍｍ以下がより好ましい。貼り付け作業の容易性、両面粘着テープの生産性及びコスト低減の観点から、厚みＡ１は、０．１ｍｍ以上が好ましく、０．１５ｍｍ以上がより好ましく、０．２ｍｍ以上がより好ましい。
【００６６】
粘着層と樹脂層との密着性を高める観点から、粘着層の基材樹脂と、気泡を有さない樹脂層の基材樹脂とは、同一種類であるのが好ましい。例えば、粘着層の基材樹脂がアクリル系樹脂である場合、気泡を有さない樹脂層の基材樹脂もアクリル系樹脂であるのが好ましい。この密着性の向上により、層の界面における剥離が抑制される。この密着性の向上により、両面粘着テープｔ１の剪断変形が抑制されうる。
【００６７】
被着体ｓ１は、フェース面の裏側に配置されるのが好ましい。両面粘着テープｔ１は、フェース部の背面と被着体ｓ１との間に配置されるのが好ましい。フェース部には、ボールが直接衝突する。ボールの打撃によって、フェース部には、大きな衝撃力が作用する。よって、両面粘着テープｔ１がフェース面の裏側に配置された場合に、本発明の上記効果が顕著に発揮される。
【００６８】
図２の実施形態では、フェース面４と両面粘着テープｔ１との間のヘッド本体ｈ１は、中実である。中実である場合、フェース面４の衝撃が両面粘着テープｔ１に伝達されやすい。よってこの場合、本発明の上記効果が顕著に発揮される。この観点から、フェース面４と両面粘着テープｔ１との間のヘッド本体ｈ１は中実であるのが好ましい。
【００６９】
粘着層の材質は限定されない。被着体ｓ１がヘッドの外面に取り付けられる場合、両面粘着テープｔ１が被着体ｓ１の外縁からはみ出すことがある。はみ出した両面粘着テープｔ１は、外部に露出する。はみだした両面粘着テープｔ１は、視認されうる。はみ出した両面粘着テープｔ１は、目立たないのが好ましい。露出される場合を考慮すると、粘着層は、透明性と耐候性とを備えるのが好ましい。この観点から、粘着層の材質は、アクリル系粘着剤であるのが好ましい。
【００７０】
気泡を有さない樹脂層の材質は限定されない。前述の如く、両面粘着テープｔ１は外部に露出されうる。露出される場合を考慮すると、気泡を有さない樹脂層は、透明性と耐候性とを備えるのが好ましい。この観点から、気泡を有さない樹脂層の基材樹脂は、アクリル系樹脂であるのが好ましい。また、気泡を有さない樹脂層の基材樹脂として、ポリエステル系樹脂も好ましい。ポリエステル系樹脂は、耐候性と強度とを有する。
【００７１】
不織布層を構成する不織布の材質は限定されない。この不織布の材質として、天然繊維、合成繊維及び再生繊維が例示される。合成繊維として、ビニロン、ポリエステル、ポリプロピレン、ポリエチレン及びナイロンが例示される。天然繊維として、パルプ及び麻が例示される。再生繊維として、レーヨンが例示される。耐候性及び強度の観点から、合成繊維が好ましく、ポリエステル及びナイロンがより好ましい。
【００７２】
本発明に用いられうる両面粘着テープの具体例として、商品名「Ｙ−４６２５」、商品名「ＶＨＸ−８０２」、商品名「Ｙ−９４４８ＨＫ」、商品名「４３９３」、商品名「Ｙ−９４４８ＨＫ」、商品名「Ｙ−９４４８ＨＫＢ」及び商品名「Ｙ−９４４８ＳＫ」が挙げられる。これらは全て、住友スリーエム社製である。
【００７３】
図２において両矢印ｄ１で示されているのは、フェース面４と両面粘着テープｔ１との間の厚みである。上記実施形態では、この厚みｄ１は、第二薄肉部２２の厚みである。耐久性の観点から、厚みｄ１は、１．５ｍｍ以上が好ましく、１．８ｍｍ以上がより好ましく、２．０ｍｍ以上がより好ましい。厚みｄ１が小さい場合、打球時におけるフェース部の振動が大きい。厚みｄ１が小さい場合、両面粘着テープｔ１が貼り付けられた部分に大きな衝撃力が作用する。よって、厚みｄ１が小さい場合、本発明の効果が顕在化しうる。この観点から、厚みｄ１は、３．０ｍｍ以下が好ましく、２．７ｍｍ以下がより好ましく、２．４ｍｍ以下がより好ましい。
【００７４】
両面粘着テープｔ１とヘッドとの接触面積Ｓｍ１は限定されない。本発明の効果を顕在化させる観点から、接触面積Ｓｍ１は、９００ｍｍ２以上が好ましく、１０００ｍｍ２  以上がより好ましく、１１００ｍｍ２以上がより好ましい。被着体ｓ１の重量が過大である場合、ヘッド本体に配分できる重量が小さくなり、ヘッド本体の強度が低下する。この観点から、接触面積Ｓｍ１は、１７００ｍｍ２以下が好ましく、１６００ｍｍ２  以下がより好ましく、１５００ｍｍ２以下がより好ましい。
【００７５】
被着体ｓ１の材質は限定されない。被着体ｓ１の材質として、金属、樹脂、粘弾性材料等が挙げられる。被着体ｓ１の厚みは限定されない。ヘッド重量を低減しつつ打球感を向上させる観点から、被着体ｓ１の厚みは、好ましくは０．３ｍｍ以上、より好ましくは０．５ｍｍ以上がよく、また、好ましくは２．０ｍｍ以下、より好ましくは１．５ｍｍ以下がよい。
【００７６】
通常、ゴルファーは、フェース面４の中央にボールを当てようとする。フェース面４の面積重心において打撃される傾向がある。打点の背面に両面粘着テープｔ１が存在する場合、両面粘着テープｔ１に伝達される衝撃が大きい。本発明の効果を顕在化させる観点から、フェース面４の面積重心の背面に両面粘着テープｔ１が存在するのが好ましい。換言すれば、フェース面４の面積重心を通り且つフェース面４に垂直な直線Ｌ１は、両面粘着テープｔ１及び被着体ｓ１を通るのが好ましい。
【００７７】
ヘッド本体の材質は限定されない。ヘッド本体の材質として、軟鉄（炭素含有率が０．３ｗｔ％未満の低炭素鋼）、ＣＦＲＰ（炭素繊維強化プラスチック）、マルエージング鋼、ステンレス鋼、チタン合金、アルミニウム合金及びマグネシウム合金が例示される。ヘッド本体は、その全体が一体成形されていてもよいし、複数の部材が接合されていてもよい。ヘッド本体の成形方法として、鍛造及び鋳造が例示される。
【００７８】
フェース部の材質は限定されない。フェース部の材質として、軟鉄（炭素含有率が０．３ｗｔ％未満の低炭素鋼）、ステンレス鋼、チタン合金、ＣＦＲＰ（炭素繊維強化プラスチック）、マルエージング鋼、アルミニウム合金及びマグネシウム合金が例示される。
【００７９】
不織布層を構成する不織布の製造方法は限定されない。この不織布の製造方法として、サーマルボンド法、ケミカルボンド法、ニードルパンチ法、スパンレース法（水流絡合法）、ステッチボンド法及びスチームジェット法が例示される。繊維としてポリエステル又はナイロンが用いられる場合、生産性、厚み精度及び強度の観点から、サーマルボンド法により製造された不織布が好ましい。
【実施例】
【００８０】
以下、実施例によって本発明の効果が明らかにされるが、この実施例の記載に基づいて本発明が限定的に解釈されるべきではない。
【００８１】
［実施例１］
図１及び図２に示される形状を有するヘッドを作成した。ただし、ヘッド本体は、フェース開口部材と、板状のフェース部材とを接合して形成された。この接合は、圧入及びかしめによりなされた。フェース開口部材の材質は、ＳＵＳ６３０ステンレス鋼とされた。フェース部材の材質は、６−４チタン（Ｔｉ−６Ａｌ−４Ｖ）とされた。フェース開口部材は、ロストワックス精密鋳造により製造された。フェース部材は、板材を打ち抜きし、更にＮＣ加工を施して得た。フェース開口部材の重量は、１７５ｇであった。フェース部材の重量は、７５ｇであった。被着体ｓ１として、バッチが用いられた。バッジの材質はＳＵＳ３０４ステンレス鋼であり、バッジの重量は４．５ｇであった。両面粘着テープとして、住友スリーエム社製の商品名「Ｙ−４６２５」が用いられた。この「Ｙ−４６２５」の厚みは、０．２５ｍｍであった。上記厚みｄ１は、２．２ｍｍであった。打点は、フェース面の面積重心に設定された。この打点の裏側に、両面粘着テープ及びバッジが配置された。このヘッドを、ＣＦＲＰ製のシャフトの先端部に取り付けた。シャフトとして、ＳＲＩスポーツ株式会社製のＭＰ−４００が用いられた。このシャフトの後端部にグリップを装着して、実施例１に係るゴルフクラブを得た。この「Ｙ−４６２５」は、５層構造である。この５層は、最内層から順に、アクリル系粘着層、気泡を有さないアクリル系樹脂層、不織布層、気泡を有さないアクリル系樹脂層及びアクリル系粘着層である。
【００８２】
［実施例２］
両面粘着テープが住友スリーエム社製の商品名「ＶＨＸ−８０２」に変更された他は実施例１と同様にして、実施例２に係るヘッド及びクラブを得た。この「ＶＨＸ−８０２」の厚みは、０．２５ｍｍであった。この「ＶＨＸ−８０２」は、４層構造である。この４層は、最内層から順に、アクリル系粘着層、気泡を有さないアクリル系樹脂層、不織布層及びアクリル系粘着層である。
【００８３】
［実施例３］
両面粘着テープが住友スリーエム社製の商品名「４３９３」に変更された他は実施例１と同様にして、実施例３に係るヘッド及びクラブを得た。この「４３９３」の厚みは、０．２０ｍｍであった。この「４３９３」は、３層構造である。この３層は、最内層から順に、アクリル系粘着層、ポリエステルフィルム層及びアクリル系粘着層である。
【００８４】
［比較例１］
両面粘着テープが住友スリーエム社製の商品名「Ｙ−４９１４」に変更された他は実施例１と同様にして、比較例１に係るヘッド及びクラブを得た。この「Ｙ−４９１４」の厚みは、０．２５ｍｍであった。この「Ｙ−４９１４」は、３層構造である。この３層は、最内層から順に、アクリル系粘着層、アクリルフォーム層及びアクリル系粘着層である。アクリルフォーム層は、気泡を有する樹脂層である。
【００８５】
［耐久性の評価］
ミヤマエ社製のスイングロボットにクラブを取り付け、ヘッドスピードを５４ｍ／ｓに設定して、ゴルフボールを打撃させた。５００回の打撃毎にヘッドの状態を目視により観察し、バッジの接合面の状態を確認した。剥離が確認された時点で、打撃を終了した。
【００８６】
［耐久性の評価結果］
実施例１では、９５００回打撃された時点で、バッジの接着面の一部が剥離した。実施例２では、７０００回打撃された時点で、バッジの接着面の一部が剥離した。実施例３では、５５００回打撃された時点で、バッジの接着面の一部が剥離した。比較例１では、２５００回打撃された時点で、バッジの接着面の一部が剥離した。
【００８７】
以上に示されるように、実施例は、比較例に比べて評価が高い。この評価結果から、本発明の優位性は明らかである。
【産業上の利用可能性】
【００８８】
本発明は、ウッド型ゴルフクラブヘッド、アイアン型ゴルフクラブヘッドなど、あらゆるゴルフクラブヘッドに適用されうる。
【図面の簡単な説明】
【００８９】
【図１】図１は、本発明の第一実施形態のゴルフクラブヘッドを背面側から見た図である。
【図２】図２は、図１のII−II線に沿った断面図である。
【図３】図３は、第一実施形態における両面粘着テープ近傍の拡大断面図である。
【図４】図４は、第二実施形態における両面粘着テープ近傍の拡大断面図である。
【図５】図５は、第三実施形態における両面粘着テープ近傍の拡大断面図である。
【図６】図６は、第四実施形態における両面粘着テープ近傍の拡大断面図である。
【符号の説明】
【００９０】
２・・・ヘッド
４・・・フェース面
６・・・トップ面
８・・・ソール面
１０・・・バック面
１２・・・ホーゼル部
１３・・・フェース部
１４・・・凹部（第一凹部）
１６・・・凹部（第二凹部）
１８・・・薄肉部（第一薄肉部）
２０・・・凹部（第一凹部）の底面
２２・・・第二薄肉部
２４・・・凹部（第二凹部）の底面
ｔ１・・・両面粘着テープ
ｓ１・・・被着体
ｈ１・・・ヘッド本体
３０、３６、５０、５８、７０、７４、９０、９４・・・粘着層
３４、５４、９２・・・不織布層
３２、５２、５６、７２・・・気泡を有さない樹脂層  
【図１】
2010035734.tif 000003
【図２】
2010035734.tif 000004
【図３】
2010035734.tif 000005
【図４】
2010035734.tif 000006
【図５】
2010035734.tif 000007
【図６】
2010035734.tif 000008